(57)【特許請求の範囲】
【請求項１】
インターネット、イントラネット、エクストラネット等のネットワークに接続された複数の情報提供元ウェブサーバを予め登録してなり、同登録した複数の情報提供元ウェブサーバのうち前記ネットワーク上のクライアントにより選択された情報提供元サーバから同情報提供元サーバ固有の複数の入力条件項目の入力を促す条件入力ページであるウェブページを受信したとき同ウェブページを前記クライアントに送信するように前記ネットワークに接続した中継サーバにおいて、
前記ネットワーク上のクライアントからの要求に応じて前記複数の情報提供元サーバを選択する選択項目と選択した情報提供元サーバに必要となる共通な入力項目の入力を画面上にて促すウェブページを選択ページとして返信する手段と、
前記クライアントから前記選択ページに対する回答として前記情報提供元サーバの選択結果を表すデータと共通な各入力項目に対応したデータを入力したとき選択された情報提供元サーバに対して同時にそれぞれ個々の条件入力ページを要求して同情報提供元サーバ固有の各条件入力ページを受信したとき同条件入力ページにおける入力条件項目を情報提供元ウェブサーバ毎に区画して実質的に同じ項目を相互に対比して入力できるような所定の表示形態に変換して生成したウェブページを単一の標準条件入力ページとして前記クライアントに送信する手段と、
前記標準条件入力ページの条件入力項目に対する回答を入力条件データとして受信したとき同入力条件データを前記選択された情報提供元サーバに転送する手段と、
前記選択された情報提供元ウェブサーバにて前記入力条件データに基づき確定した内容を示す個々の回答ページの画面を情報提供元ウェブサーバ毎に区画して実質的に同じ項目を相互に対比できるような所定の表示形態に変換して編集した単一の標準回答ページを前記クライアントに返信する手段とを有することを特徴とするウェブページの様式標準化サーバ。
【発明の詳細な説明】
【０００１】
本発明は、インターネット、イントラネット等のネットワークに接続したウェブサーバにより提供されるウェブページの表示様式を標準化してクライアントに送信するようにしたウェブページの様式標準化サーバ及びウェブページの様式標準化システム、特にネットワークに接続した複数のウェブサーバにより様々な表示形態にて提供されるウェブページを所定の表示様式に標準化してクライアントに送信し、各ウェブサーバから提供される情報をクライアントが簡単に比較検討できるようにする中継サーバとして機能するウェブページの様式標準化サーバに関するものである。
【０００２】
【従来の技術】
近年、例えばインターネット、イントラネット、エクストラネット等のネットワークに接続したウェブサーバによる情報提供サービスが増加する傾向にある。例えば保険業界においては、各元受保険会社が自社に設置した固有のウェブサーバにより、クライアントからの要求に対して入力条件項目を示してその入力を促すウェブページを提供し、同ウェブページの入力条件項目に対するクライアントの回答を入力条件データとして受信して自社の保険契約条件を示すウェブページをクライアントに返信する情報提供サービスが行われている。
【０００３】
【発明が解決しようとする課題】
しかし、上記のウェブページによる情報提供サービスにおいては、情報提供元である各元受保険会社のウェブサーバは独自の表示様式のウェブページを提供するようになっているため、クライアントに提供されるウェブページが元受保険会社毎に異なる表示形態で示される。したがって、クライアント側にて複数の元受保険会社の契約条件を比較検討して自己に最適な保険に加入しようとする場合には、各元受保険会社から提供される様々な表示形態のウェブページに示された入力条件項目について回答しなければならず、その入力作業が繁雑になる。さらに、各元受保険会社のウェブサーバから提供される契約条件が異なる表示様式で示されるため、契約条件の比較が困難となり自己に最適な保険を見出すのに手間がかかる。
【０００４】
また、上述したようにクライアントが複数の情報提供元である元受保険会社に問い合せをする場合には、上記の入力作業によって各元受保険会社に順次問い合せる必要があり、各元受保険会社のウェブサーバに対する入力時間が累積されて多くの時間を消費することになる。
【０００５】
【発明の概要】
本発明の主たる目的は、上述したとおり情報提供元から様々な表示形態にて提供されるウェブページを共通の表示様式に標準化してクライアントが短時間に入力条件項目の入力作業を完了し、提供された情報を容易に確認できるようにする中継サーバとして機能するウェブページの様式標準化サーバを提供することにある。
【０００６】
本発明の他の目的は、クライアントが選択した複数の情報提供元に同時に入力条件項目の問合せを行い各情報提供元から提供された情報をクライアントが簡単に比較検討できるような表示様式に変換して標準化することによりクライアントの情報検討作業を容易にする中継サーバとして機能するウェブページの様式標準化サーバを提供することにある。
【０００７】
本発明は、上記の目的を達成するため、インターネット、イントラネット、エクストラネット等のネットワークに接続された複数の情報提供元ウェブサーバを予め登録してなり、同登録した複数の情報提供元ウェブサーバのうち前記ネットワーク上のクライアントにより選択された情報提供元サーバから同情報提供元サーバ固有の複数の入力条件項目の入力を促す条件入力ページであるウェブページを受信したとき同ウェブページを前記クライアントに送信するように前記ネットワークに接続した中継サーバにおいて、前記ネットワーク上のクライアントからの要求に応じて前記複数の情報提供元サーバを選択する選択項目と選択した情報提供元サーバに必要となる共通な入力項目の入力を画面上にて促すウェブページを選択ページとして返信する手段と、前記クライアントから前記選択ページに対する回答として前記情報提供元サーバの選択結果を表すデータと共通な各入力項目に対応したデータを入力したとき選択された情報提供元サーバに対して同時にそれぞれ個々の条件入力ページを要求して同情報提供元サーバ固有の各条件入力ページを受信したとき同条件入力ページにおける入力条件項目を情報提供元ウェブサーバ毎に区画して実質的に同じ項目を相互に対比して入力できるような所定の表示形態に変換して生成したウェブページを単一の標準条件入力ページとして前記クライアントに送信する手段と、前記標準条件入力ページの条件入力項目に対する回答を入力条件データとして受信したとき同入力条件データを前記選択された情報提供元サーバに転送する手段と、前記選択された情報提供元ウェブサーバにて前記入力条件データに基づき確定した内容を示す個々の回答ページの画面を情報提供元ウェブサーバ毎に区画して実質的に同じ項目を相互に対比できるような所定の表示形態に変換して編集した単一の標準回答ページを前記クライアントに返信する手段とを有することを特徴とする中継サーバとして機能するウェブページの様式標準化サーバを提供するものである。
【０００８】
上記のように構成したウェブページの様式標準化サーバによれば、複数の情報提供元から情報を取得する際に、クライアント側にて、情報提供元のウェブサーバによらず、単一の標準条件入力ページにて同様な表示形態で示された条件入力項目に対する回答を入力することにより短時間に入力作業を完了することができ、各情報提供元のウェブサーバにより提供された複数のウェブページの表す情報内容を単一の標準回答ページにて閲覧できるため、表示画面が整理されて複数のウェブページの情報内容を互いに対比して検討し易くなる。
【０００９】
【発明の実施の形態】
ａ．第１の実施形態
以下、本発明の第１の実施形態を図面を参照して説明する。この実施形態は本発明によるウェブページの様式標準化サーバを保険代理店業務に活用したものであり、図１は同様式標準化サーバを適用したウェブページの様式標準化システムの全体概略構成図である。
【００１０】
ウェブページの様式標準化サーバ１０は、クライアントＣと複数の元受保険会社毎に設置した情報提供元サーバＳ１が接続されたインターネットＩに介在する中継サーバとして接続されている。クライアントＣは、各情報提供元サーバＳ１のウェブページを閲覧するためのウェブブラウザソフトを実行可能な保険代理店側に設置されて操作されるコンピュータシステムである。各情報提供元サーバＳ１はインターネットＩ上からの要求に対してそれぞれ複数の入力条件項目（例えば保険の期間、種類、等級等）の入力を促すウェブページである条件入力ページ（図３〜５参照）を固有の表示様式で表すデータを返信し、同条件入力ページに対する回答を入力条件データとして入力したとき同入力条件データに基づき提供すべき保険情報を確定してその内容を示す回答ページを上記の要求に対して返信する。なお、上記条件入力ページに表示される複数の入力条件項目は各元受保険会社が独自に定めたものであって、その表示形態は元受保険会社毎に相違しており、また各情報提供元サーバＳ１から返信される回答ページの表示様式も同様に相違している。
【００１１】
この実施形態におけるウェブページの様式標準化サーバ１０は、上述した各元受保険会社に設置された情報提供元サーバＳ１から様々な表示形態で提供されるウェブページの画面表示を所定の共通な表示形態に変換してクライアントＣに中継するために設けたもので、図２のフローチャートに対応したプログラムを実行するコンピュータシステムである。以下、その動作について上記フローチャートに沿って説明する。
【００１２】
ウェブページの様式標準化サーバ１０は、ステップ１００にて上記プログラムの実行を開始した後、ステップ１０２の処理を繰り返し実行してクライアントＣからの接続要求を待ち続ける。このときクライアントＣからの接続要求があると、ステップ１０２における「ＹＥＳ」との判定のもとに、ステップ１０４にて保険会社選択ページを表すデータをクライアントＣに返信する。保険会社選択ページは、図６に示したように、予め登録した複数の元受保険会社のうちから問合せ先の元受保険会社を単一又は複数選択できるようにするとともに、問合せ先の元受保険会社に必要となる複数の共通な入力項目（例えば保険の期間、顧客の氏名等）の入力を促すようにしたウェブページである。同保険会社選択ページの送信後、様式標準化サーバ１０はステップ１０６の処理を繰り返し実行してクライアントＣからの回答を待つ。
【００１３】
ステップ１０６の処理の繰返し実行中、クライアントＣから上記保険会社選択ページに対する回答として元受保険会社の選択結果を表すデータ及び上記各共通入力項目に対応したデータが入力されると、ステップ１０６における「ＹＥＳ」との判定のもとに、ステップ１０８にて選択された元受保険会社の情報提供元サーバＳ１に対しそれぞれの条件入力ページを要求する。このとき、選択された元受保険会社が複数であった場合、選択された複数の元受保険会社の情報提供元サーバＳ１にそれぞれ条件入力ページを要求する。その後、様式標準化サーバ１０はステップ１１０の処理を繰り返し実行して情報提供元サーバＳ１からの条件入力ページの入力を待つ。
【００１４】
上記ステップ１１０の処理の繰返し実行中、情報提供元サーバＳ１からステップ１０８における要求に応答して送信された条件入力ページを表すデータを受信すると、同ステップ１１０における「ＹＥＳ」との判定のもとに、プログラムをステップ１１２以降へ進める。なお、条件入力ページを要求した情報提供元サーバＳ１が複数であった場合は、各情報提供元サーバＳ１からそれぞれ条件入力ページを受信してからプログラムをステップ１１２以降へ進める。
【００１５】
ステップ１１２においては、上記条件入力ページのデータに基づき標準条件入力ページを生成する。この標準条件入力ページは、図７に示したように、ステップ１１０にて入力した各条件入力ページを所定の表示様式に変換したウェブページであって、前記保険会社選択ページに対する回答としてステップ１０６にて入力した各共通入力項目を画面の上部に表示するとともにステップ１１０にて入力した各条件入力ページの入力条件項目を同一画面の下部に表示する。
【００１６】
この場合、ウェブページの様式標準化サーバ１０は、ステップ１１０にて入力した複数の条件入力ページを単一の標準条件入力ページに変換し、各条件入力ページの入力条件項目を元受保険会社毎に区画して実質的に同じ項目を相互に対比しながら入力できるように画面の下部に一括して表示する。
【００１７】
上記標準条件入力ページの生成後、ウェブページの様式標準化サーバ１０は、ステップ１１２にて生成した標準条件入力ページを表すデータをステップ１１４にてクライアントＣに送信し、ステップ１１６の処理を繰り返し実行してクライアントＣからの回答を待つ。
【００１８】
このとき、クライアントＣは標準条件入力ページの上部に表示された共通入力項目に回答を１度入力するのみでよく、各元受保険会社毎の入力条件項目には同様の項目を対比しながら的確に回答を入力することができ、その回答作業を短時間に完了することができる。
【００１９】
しかして、ステップ１１６の処理の繰返し実行中、クライアントＣから上記標準条件入力ページに対する回答として各元受保険会社の条件入力ページに示された入力条件項目に回答が入力されると、同ステップ１１６における「ＹＥＳ」との判定のもとに、ステップ１１８にて、クライアントＣの回答を示す共通入力項目のデータ及び入力条件データを各元受保険会社の情報提供元サーバＳ１にそれぞれ転送する。ついで、ウェブページの様式標準化サーバ１０はステップ１２０の処理を繰り返し実行して情報提供元サーバＳ１からの回答を待つ。
【００２０】
ステップ１２０の処理の繰返し実行中、情報提供元サーバＳ１からステップ１１８にて転送した入力条件データに対する回答として回答ページを表すデータを受信すると、同ステップ１２０における「ＹＥＳ」との判定によりプログラムをステップ１２２以降へ進める。
【００２１】
ステップ１２２においては、ステップ１２０にて入力した回答ページを表すデータに基づき標準回答ページを表すデータを生成する。この標準回答ページは、図８に示したように、ステップ１２０にて入力した各回答ページを所定の表示様式に変換したウェブページであって、前記保険会社選択ページに対する回答として先にステップ１０６にて入力した各共通入力項目を画面の上部に表示し、かつ前記標準条件入力ページ対する回答として先にステップ１１０にて入力した各条件入力ページの入力条件項目を同一画面の中間部に表示すると共に、ステップ１２０にて入力した各回答ページに示された保険情報の内容を元受保険会社毎に区画して実質的に同じ項目を対比して検討できるように画面の下部に一括して表示する。
【００２２】
上記ステップ１２２の処理を完了した後、ページ様式標準化サーバ１０は、ステップ１２４にて上記標準回答ページを表すデータをクライアントＣに送信し、プログラムをステップ１０２へ戻す。
【００２３】
上述したように、この実施形態におけるウェブページの様式標準化サーバ１０は、各情報提供元サーバＳ１から条件入力ページを受信したときステップ１１２にて上記の標準条件入力ページを生成してクライアントＣに送信し、各情報提供元サーバＳ１から回答ページを受信したときステップ１２２にて標準回答ページを生成してクライアントＣに送信する。
【００２４】
この場合、標準条件入力ページは各情報提供元サーバＳ１から受信した条件入力ページを所定の表示様式に変換した単一の標準条件入力ページであるため、クライアントＣは個々の元受保険会社に問合せをする場合であっても、常に同一の表示様式で表示されたウェブページを閲覧して保険加入のための条件データを共通の操作手順により簡単に入力することができる。また、上記の標準回答ページは各情報提供元サーバＳ１から受信した回答ページを所定の表示様式に変換した単一の標準回答ページであるため、クライアントＣは個々の元受保険会社から受信した保険情報の内容を同様な手順で的確に検討することができる。
【００２５】
特に、この実施形態において複数の元受保険会社に問合わせる場合には、ウェブページの様式標準化サーバ１０が、クライアントＣにより選択された各元受保険会社の情報提供元サーバＳ１に対して条件入力ページを同時に要求して上記の標準条件入力ページを生成し、同標準条件入力ページに入力されたクライアントＣの回答を前記情報提供元サーバＳ１に同時に送信して上記の標準回答ページを生成するため、各情報提供元サーバＳ１に個別に問合わせる場合と比較して問合せのための作業時間が短縮される。また、この場合、各元受保険会社から共通に要求される入力項目については、各元受保険会社毎に入力する必要はなく上記の保険会社選択ページに対する回答として一括入力するだけで済むため、クライアントＣは同じ回答を重複して入力することなくその操作手順を簡略にすることができる。
【００２６】
さらに、上記の標準回答ページにおいては、各情報提供元サーバＳ１から提供された保険情報が元受保険会社毎に区画されて実質的に同じ項目を対比できるように表示されるため、クライアントＣは自己が加入すべき所望の保険を簡単に決定することができる。
【００２７】
なお、上記実施形態においては特に説明しなかったが、本発明は、情報提供元サーバＳ１から提供される条件入力ページ及び回答ページがＨＴＭＬ文書により表されている場合、或いはＸＭＬ文書及びＸＳＬスタイルシート等により表されている場合であっても同様に適用できるものである。また、情報提供元サーバＳ１が各ウェブページのデータ部分のみをＸＭＬ文書によって提供している場合であっても適用できるものである。この場合、図２のステップ１１２，１２２にて、それぞれに対応した処理により標準条件入力ページ及び標準回答ページを作成するようにすればよく、標準条件入力ページ及び標準回答ページについてもＨＴＭＬ文書により表してもよいし、ＸＭＬ文書及びＸＳＬスタイルシート等により表してもよい。
【００２８】
また、ページ様式標準化サーバ１０は、図示しないプログラムの実行により、上記ステップ１２４における標準回答ページの出力後、クライアントＣから入力された条件データ及び同条件データに対して情報提供元サーバＳ１にて作成された保険情報の内容を表す回答データを同クライアントＣからの指示に応じて選択的に記憶するように構成してもよい。かかる構成によれば、各問合せ毎に記憶して蓄積した条件データ及び回答データを、クライアントＣからの指示に応じて選択的に各情報提供元サーバＳ１に送信し、各問合せ後の条件データ及び回答データをクライアントＣ側にて容易に再利用しうるようにすることができる。
【００２９】
ｂ．第２の実施形態
次に、本発明の第２の実施形態を図９〜１２を参照して説明する。この実施形態は、上記第１の実施形態におけるウェブページの様式標準化サーバ１０にファイルを転送する機能を加えたものである。
【００３０】
しかして、この実施形態におけるウェブページの様式標準化サーバ１０は、図９に示したようにホストコンピュータＨに接続した付加価値通信網Ｖにも接続されており、同ホストコンピュータＨ又はインターネットＩに接続した複数のファイル転送サーバＳ２とクライアントＣの間にてファイルの送受信を中継する。なお、ファイル転送サーバＳ２及びホストコンピュータＨは各元受保険会社毎に予め設置されているものである。この実施形態において、ウェブページの様式標準化サーバ１０は、図２のフローチャートに対応したプログラムに代えて図１０〜１２のフローチャートに対応したプログラムを実行する。
【００３１】
この場合、ウェブページの様式標準化サーバ１０は、クライアントＣからの接続要求があったとき、前記ステップ１０２における「ＹＥＳ」との判定のもとに、まずステップ２０２にて同クライアントＣに対し作業選択ページを返信する。作業選択ページは、クライアントＣ側にて行う作業を情報提供元サーバＳ１に対する問合せ又はファイル転送サーバＳ２若しくはホストコンピュータＨに対するファイルの送受信のうちから選択できるようにしたウェブページである。この作業選択ページの返信後、ウェブページの様式標準化サーバ１０はステップ２０４にてクライアントＣからの回答を待つ。
【００３２】
ステップ２０４の処理の繰返し実行中、クライアントＣから上記作業選択ページに対する回答として作業の選択結果を表すデータが入力されると、同ステップ２０４における判定のもとに同選択結果に応じてプログラムをステップ１０４，２０８，２１０のうちのいずれかに進める。上記選択された作業が情報提供元サーバＳ１に対する問合せであった場合は、プログラムをステップ１０４以降へ進めて第１の実施形態にて詳述した問合せ処理を実行する。
【００３３】
一方、クライアントＣ側にて選択された作業がファイル転送サーバＳ２又はホストコンピュータＨに対する例えば写真画像等のファイルの転送であった場合は、ステップ２０８にて図１１に詳細に示したファイル受信処理を実行する。このファイル受信処理をステップ３００にて開始したとき、ステップ３０２にてクライアントＣに対し標準送信指示ページを送信する。この標準送信指示ページは、ファイルの指定及び送信を促すとともに、予め登録した転送先のファイル転送サーバＳ２又はホストコンピュータＨを選択できるようにした所定の表示様式のウェブページである。この場合、上記ファイルの指定と共に同ファイルに関連する例えば契約者名等のデータの入力も促すようにして、同データを上記のファイルと共に送信できるようにしてもよい。上記標準送信指示ページの送信後、ウェブページの様式標準化サーバ１０はステップ３０４の処理を繰り返し実行してクライアントＣからファイルが受信されるのを待つ。
【００３４】
ステップ３０４の処理の繰返し実行中、クライアントＣから上記標準送信指示ページに対する回答としてファイル並びに同ファイルの転送先のファイル転送サーバＳ２若しくはホストコンピュータＨを表すデータを受信すると、同ステップ３０４における「ＹＥＳ」との判定のもとに、ステップ３０６にて受信したファイル及びデータを対応づけて記憶し、ステップ３０８にてこのファイル受信処理の実行を終了してプログラムを図１０のステップ１０２へ戻す。そして、図示しないプログラムの実行により、上記記憶したファイルの転送先のファイル転送サーバＳ２又はホストコンピュータＨからファイル取得の要求があった場合に、上記ファイルを要求のあったファイル転送サーバＳ２又はホストコンピュータＨに送信する。これにより、クライアントＣからウェブページの様式標準化サーバ１０を介してファイル転送サーバＳ２又はホストコンピュータＨに対し上記ファイルが転送されることになる。
【００３５】
次に、ファイル転送サーバＳ２又はホストコンピュータＨ側からクライアントＣに対してファイル（例えば、契約、請求等の内容を表すデータ）を転送する場合について説明する。ウェブページの様式標準化サーバ１０は、図示しないプログラムの実行により、ファイル転送サーバＳ２及びホストコンピュータＨからのファイルの転送要求を随時受付けており、同要求時にはファイル転送サーバＳ２又はホストコンピュータＨから送信されたファイルをその転送先のクライアントＣを表すデータと対応づけて記憶するようにしている。そして、クライアントＣ側にて上記作業選択ページに対する回答としてファイルを取得する作業が選択された場合に、図１０のステップ２１０にてファイル送信処理を実行して上記記憶したファイルをクライアントＣに対し送信する。
【００３６】
以下に、上記のファイル送信処理について具体的に説明する。ページ様式標準化サーバ１０は、図１２のステップ４００にて上記ファイル受信処理を開始したとき、まずステップ４０２にて、ファイル転送サーバＳ２又はホストコンピュータＨから送信されて記憶したファイルの中に上記ファイル取得作業を選択したクライアントＣを転送先とするファイルが存在するか否かを判定する。このとき、記憶しているファイルの中に上記クライアントＣを転送先とするファイルが無ければ、同ステップ４０２における「ＮＯ」との判定のもとに、ステップ４０４にて同クライアントＣに対しその旨を通知するウェブページを送信した後、ステップ４１２にてこのファイル送信処理を終了する。
【００３７】
一方、記憶しているファイルの中に上記クライアントＣを転送先とするファイルが存在した場合、ステップ４０２における「ＹＥＳ」との判定のもとに、ステップ４０６にて同クライアントＣに対し標準受信ファイル指定ページを送信する。標準受信ファイル指定ページは、上記記憶しているファイルのうちの同クライアントＣを転送先とするものの一覧を表示してそのうちの単一又は複数個のファイルを指定できるようにした所定の表示様式のウェブページである。この標準受信ファイル指定ページの送信後、ウェブページの様式標準化サーバ１０はステップ４０８の処理を繰り返し実行してクライアントＣからのファイルの指定を待つ。
【００３８】
ステップ４０８の処理の繰返し実行中、クライアントＣから上記標準受信ファイル指定ページに対する回答としてファイルの指定結果を表すデータが入力されると、同ステップ４０８における「ＹＥＳ」との判定のもとに、ステップ４１０にて同指定されたファイルをクライアントＣに送信する。これにより、ファイル転送サーバＳ２又はホストコンピュータＨからウェブページの様式標準化サーバ１０を介してクライアントＣに対しファイルが転送されることになる。同送信後、ウェブページの様式標準化サーバ１０は、ステップ４１２にてこのファイル送信処理の実行を終了し、プログラムを前記図１０のステップ１０２へ戻す。
【００３９】
上述したように、第２の実施形態においては、ウェブページの様式標準化サーバ１０が、クライアントＣからのファイル転送サーバＳ２又はホストコンピュータＨに対するファイルの転送及び取得の要求に対して、それぞれ所定の表示様式に描かれた標準送信指示ページ及び標準受信ファイル指定ページを返送する。したがって、クライアントＣにおいては、ファイルの転送先又は取得先の元受保険会社によらず、また同ファイルの転送先又は取得先がインターネットＩに接続されたファイル転送サーバＳ２であるか付加価値通信網Ｖに接続されたホストコンピュータＨであるかにも関わらず、常に同様の様式に描かれたウェブページが閲覧され、単に同ウェブページに対して回答するのみでファイルの転送及び取得を行うことが可能となる。これにより、送受信するファイルの指定等の操作手順が共通化されて利便性が向上する。
【００４０】
なお、上記の各実施形態は本発明をインターネットに対して適用した例について説明したものであったが、本発明は、例えばイントラネット、エクストラネットなどの他のネットワークに対しても同様に適用することができる。
【００４１】
また、上記の各実施形態は本発明を保険代理店業務に対して適用した例について説明したが、本発明は、例えば各販売店毎に設定されている商品の料金を同各販売店毎に設置されたウェブサーバに対して問合せる場合、又は各新聞社にてウェブページにより提供されているニュース情報を選択して取得する場合等にも同様に適用することができる。
【図面の簡単な説明】
【図１】本発明の第１の実施形態に係るページ様式標準化サーバを含むシステムの全体概略図である。
【図２】図１のページ様式標準化サーバにて実行されるプログラムを示すフローチャートである。
【図３】図１の情報提供元サーバにより提供される条件入力ページの一例を示す参考図である。
【図４】図１の情報提供元サーバにより提供される条件入力ページの一例を示す参考図である。
【図５】図１の情報提供元サーバにより提供される条件入力ページの一例を示す参考図である。
【図６】図１のページ様式標準化サーバにより提供される保険会社選択ページの一例を示す参考図である。
【図７】図１のページ様式標準化サーバにより提供される標準条件入力ページの一例を示す参考図である。
【図８】図１のページ様式標準化サーバにより提供される標準回答ページの一例を示す参考図である。
【図９】本発明の第２の実施形態に係るページ様式標準化サーバを含むシステムの全体概略図である。
【図１０】図１のページ様式標準化サーバにて実行されるメインプログラムを示すフローチャートである。
【図１１】図１０のファイル受信処理の詳細を示すフローチャートである。
【図１２】図１０のファイル送信処理の詳細を示すフローチャートである。
【符号の説明】
１０…ページ様式標準化サーバ、Ｉ…インターネット、Ｃ…クライアント、Ｓ１…情報提供元サーバ、Ｖ…付加価値通信網、Ｈ…ホストコンピュータ、Ｓ２…ファイル転送サーバ。
【図１】
0004328447.tif 000002
【図２】
0004328447.tif 000003
【図３】
0004328447.tif 000004
【図４】
0004328447.tif 000005
【図５】
0004328447.tif 000006
【図６】
0004328447.tif 000007
【図７】
0004328447.tif 000008
【図８】
0004328447.tif 000009
【図９】
0004328447.tif 000010
【図１０】
0004328447.tif 000011
【図１１】
0004328447.tif 000012
【図１２】
0004328447.tif 000013